【手続補正書】
【提出日】平成18年7月20日(2006.7.20)
【手続補正１】
【補正対象書類名】明細書
【補正対象項目名】全文
【補正方法】変更
【補正の内容】
【書類名】明細書
【発明の名称】使い捨て吸収性物品
【特許請求の範囲】
【請求項１】使用状態において弾性伸縮力により使用面側に起立する脚周り用起立カフスを有する使い捨て吸収性物品において、
前記起立カフスは、これを長手方向に伸長した状態で、その起立端から物品の中央側に向かう起立部と、途中で折り返し反転して外側に向かう平面当り部とを有し、
少なくとも前記平面当り部に弾性伸縮部材を有する、
ことを特徴とする使い捨て吸収性物品。
【請求項２】前記起立部にも弾性伸縮部材を有する請求項１記載の使い捨て吸収性物品。
【請求項３】長手方向前後端部において、前記起立部が物品の中央側に向かう状態で物品に固定され、前記平面当り部が折り返し反転した状態で前記起立部上に固定されている請求項１または２記載の使い捨て吸収性物品。
【請求項４】前記平面当り部に弾性伸縮部材を幅方向に間隔をおいて複数本有する請求項１または２記載の使い捨て吸収性物品。
【請求項５】前記起立部に弾性伸縮部材を幅方向に間隔をおいて複数本有する請求項２または４記載の使い捨て吸収性物品。
【請求項６】使用状態において弾性伸縮力により使用面側に起立する脚周り用起立カフスを有する使い捨て吸収性物品において、
前記起立カフスは、これを長手方向に伸長した状態で、その起立端から物品の中央側に向かう起立部と、途中で折り返し反転して外側に向かう平面当り部とを有し、
前記平面当り部及び起立部に弾性伸縮部材をそれぞれ幅方向に間隔をおいて複数本有し、
平面当り部及び起立部の弾性伸縮部材の相関関係として、平面当り部の弾性伸縮部材は細くかつ収縮率が大きく、起立部の弾性伸縮部材は太くかつ収縮率が小さい、
ことを特徴とする使い捨て吸収性物品。
【請求項７】さらに、前記起立カフスの外側に平面ギャザーカフスを有する請求項１〜６のいずれか１項に記載の使い捨て吸収性物品。
【請求項８】前記起立カフスの外側に平面ギャザーカフスを有しない請求項１〜６のいずれか１項に記載の使い捨て吸収性物品。
【請求項９】使用状態において弾性伸縮力により使用面側に起立する脚周り用起立カフスを有する使い捨て吸収性物品において、
使用面がわの透液性シートと不透液性シートとの間に吸収要素を介在させ、さらに不透液性シートの外方にバックシートを有し、
前記透液性シート及び不透液性シートは吸収要素の側縁を超えて幅方向外方に延在し、起立カフスを構成する実質的に液を透過しない起立用シート及び前記バックシートが前記透液性シート及び不透液性シートの側縁を超えて幅方向外方に延在し、
前記起立カフスの起立端は、前記不透液性シートの延在位置とし、
前記起立カフスは、これを長手方向に伸長した状態で、その起立端から物品の中央側に向かう起立部と、途中で折り返し反転して外側に向かう平面当り部とを有し、
少なくとも前記平面当り部に弾性伸縮部材を有する、
ことを特徴とする使い捨て吸収性物品。
【請求項１０】前記平面当り部及び起立部に弾性伸縮部材をそれぞれ幅方向に間隔をおいて複数本有する請求項９記載の使い捨て吸収性物品。
【発明の詳細な説明】
【０００１】
【産業上の利用分野】
本発明は、長手方向中間部に起立カフスを有する、好適には平面ギャザーカフスを有せず起立用シートのみを有する使い捨て吸収性物品に関する。
【０００２】
【従来の技術】
近年の紙おむつの改良には著しいものがあり、その改良の代表例は、紙おむつの両側部にバリヤーカフスを形成し、もって特に軟便の横漏れの防止を図ったものがある。
【０００３】
この代表例が、特公平６−９３９０１号公報に開示されたものである。この特許発明は、バリヤーカフスとガスケットカフスとで二重的に横漏れを防止しようとするものである。特に、軟便について、バリヤーカフスの遠位端を越えた軟便の液分について、ガスケットカフスにより阻止しようとするものである。
【０００４】
【発明が解決しようとする課題】
しかし、本発明者のその後の研究によれば、この種の二重カフスでは効果の限界があり、驚くべきことに、起立カフスの形態を工夫することにより、起立カフス単独（ガスケットカフスを用いない）で二重カフスをはるかに越えた利点をもたらすものとなることが知見された。
【０００５】
すなわち、二重カフスを有する紙おむつの根本的な問題点を指摘すれば、この種の紙おむつでは、ガスケットカフスが脚周りに当るとき、バリヤーカフスの遠位端（遠位縁）が股の付け根に線接触するものである。
【０００６】
したがって、装着状態時に、ガスケットカフスの脚周りへの当り部位に応じて、バリヤーカフスの遠位端（遠位縁）の位置が定まり、目的の股の付け根に線接触する位置が装着の都度変り、横漏れ防止効果が完全でない場合が多くある。
【０００７】
また、バリヤーカフスの遠位端を越えた軟便の液分がバリヤーカフスでは阻止できるとしても、前後漏れを生じる可能性がある。
【０００８】
しかも、装着が適切でないと、内向き方向に設定したバリヤーカフスが外方向に反り返り、軟便の液分を阻止できないことがある。
【０００９】
さらに、ガスケットカフスを備えるので、当然にバリヤーカフスの位置は紙おむつの中央側に偏位させなければならず、両側のバリヤーカフス間の幅方向間隔が狭く、ポケット空間を幅広く取る（装着ミスや着用者の動きがあっても尿や軟便を捕捉するために必要である）ことができない。
【００１０】
いずれにしても、母親は、横漏れを何度か経験しながら、これがない装着形態を学ぶもので、装着の手直しを度々行うものである。
【００１１】
したがって、本発明の課題は、少々の装着ミスがあったとしても、幅広いポケット空間により、尿や軟便を確実に捕捉でき、着用者の動きに応じて、起立部と平面当り部との両者が追従し、確実に起立部の起立遠位端が股の付け根に線接触し、同時にそこから脚周りにかけて平面当り部が平面的に接触することにより、著しく横漏れ防止効果が高い紙おむつに代表される使い捨て吸収性物品をを提供することにある。
【００１２】
【課題を解決するための手段】
上記課題を解決した請求項１記載の発明は、使用状態において弾性伸縮力により使用面側に起立する脚周り用起立カフスを有する使い捨て吸収性物品において、
前記起立カフスは、これを長手方向に伸長した状態で、その起立端から物品の中央側に向かう起立部と、途中で折り返し反転して外側に向かう平面当り部とを有し、
少なくとも前記平面当り部に弾性伸縮部材を有する、
ことを特徴とする使い捨て吸収性物品である。
【００１３】
請求項２記載の発明は、前記起立部にも弾性伸縮部材を有する請求項１記載の使い捨て吸収性物品である。
【００１４】
請求項３記載の発明は、長手方向前後端部において、前記起立部が物品の中央側に向かう状態で物品に固定され、前記平面当り部が折り返し反転した状態で前記起立部上に固定されている請求項１または２記載の使い捨て吸収性物品である。
【００１５】
請求項４記載の発明は、前記平面当り部に弾性伸縮部材を幅方向に間隔をおいて複数本有する請求項１または２記載の使い捨て吸収性物品である。
【００１６】
請求項５記載の発明は、前記起立部に弾性伸縮部材を幅方向に間隔をおいて複数本有する請求項２または４記載の使い捨て吸収性物品である。
【００１７】
請求項６記載の発明は、使用状態において弾性伸縮力により使用面側に起立する脚周り用起立カフスを有する使い捨て吸収性物品において、
前記起立カフスは、これを長手方向に伸長した状態で、その起立端から物品の中央側に向かう起立部と、途中で折り返し反転して外側に向かう平面当り部とを有し、
前記平面当り部及び起立部に弾性伸縮部材をそれぞれ幅方向に間隔をおいて複数本有し、
平面当り部及び起立部の弾性伸縮部材の相関関係として、平面当り部の弾性伸縮部材は細くかつ収縮率が大きく、起立部の弾性伸縮部材は太くかつ収縮率が小さい、
ことを特徴とする使い捨て吸収性物品である。
【００１８】
請求項７記載の発明は、さらに、前記起立カフスの外側に平面ギャザーカフスを有する請求項１〜６のいずれか１項に記載の使い捨て吸収性物品である。
【００１９】
請求項８記載の発明は、前記起立カフスの外側に平面ギャザーカフスを有しない請求項１〜６のいずれか１項に記載の使い捨て吸収性物品である。
【００２０】
請求項９記載の発明は、使用状態において弾性伸縮力により使用面側に起立する脚周り用起立カフスを有する使い捨て吸収性物品において、
使用面がわの透液性シートと不透液性シートとの間に吸収要素を介在させ、さらに不透液性シートの外方にバックシートを有し、
前記透液性シート及び不透液性シートは吸収要素の側縁を超えて幅方向外方に延在し、起立カフスを構成する実質的に液を透過しない起立用シート及び前記バックシートが前記透液性シート及び不透液性シートの側縁を超えて幅方向外方に延在し、
前記起立カフスの起立端は、前記不透液性シートの延在位置とし、
前記起立カフスは、これを長手方向に伸長した状態で、その起立端から物品の中央側に向かう起立部と、途中で折り返し反転して外側に向かう平面当り部とを有し、
少なくとも前記平面当り部に弾性伸縮部材を有する、
ことを特徴とする使い捨て吸収性物品である。
【００２１】
請求項１０記載の発明は、前記平面当り部及び起立部に弾性伸縮部材をそれぞれ幅方向に間隔をおいて複数本有する請求項９記載の使い捨て吸収性物品である。
【００２２】
【作用】
請求項１記載の発明において、起立カフスは、これを長手方向に伸長した状態で、その起立端から物品の中央側に向かう起立部と、途中で折り返し反転して外側に向かう平面当り部とを有し、少なくとも前記平面当り部に弾性伸縮部材を有する。
【００２３】
その結果、装着後、着用者の動きがあったとしもその動きに応じて、起立部と平面当り部との両者が追従し、確実に起立部の起立遠位端が股の付け根に線または細帯で接触し、同時にそこから脚周りにかけて平面当り部が平面的に接触するので、著しく横漏れ防止効果が高い。したがて、少々の装着ミスが横漏れ防止効果を阻害しないものとなる。
【００２４】
請求項２記載の発明にしたがって、前記起立部にも弾性伸縮部材を有すると、これがない場合に比較して起立部が確実に起立するようになる。そして、装着時において、起立力により半剛性の吸収要素を変形させ、横断面的に舟形となり、吸収要素の持ち上げ効果が高いものとなる。
【００２５】
請求項３記載の発明にしたがって、長手方向前後端部において、前記起立部が物品の中央側に向かう状態で物品に固定し、前記平面当り部が折り返し反転した状態で前記起立部上に固定することにより、脚周り部において、図２の下方に示す起立カフスの起立形態を確実に取ることができる。
【００２６】
前記平面当り部及び前記起立部に、弾性伸縮部材を幅方向に間隔をおいて複数本有することが、起立効果及び平面当り効果を高める。
【００２７】
請求項６記載の発明に従って、特に、平面当り部及び起立部の弾性伸縮部材の相関関係として、平面当り部の弾性伸縮部材は細くかつ収縮率が大きく、起立部の弾性伸縮部材は太くかつ収縮率が小さいものとすると、平面当り部が脚周りにソフトに当りつつ横漏れ防止効果が高いものとなり、起立部の起立力が大きいものとなる。
【００２８】
しかも、この相関関係とすると、生産操業過程において折り返し反転がきわめて円滑に行うことができるとともに、製品状態および着用状態において折り返し反転状態を維持する上で、きわめて好ましいことが知見された。
【００２９】
さらに、請求項７記載の発明に従って、前記起立カフスの外側に平面ギャザーカフスを有してもよいが、請求項８記載の発明に従って、起立カフスの外側に平面ギャザーカフスを有しないものがより好適である。この形態によれば、少々の装着ミスがあったとしても、幅広いポケット空間の存在により、尿や軟便を確実に捕捉できる。しかも、材料コストも低減する。
【００３０】
請求項９記載の発明の形態によれば、不透液性シートにより衣類面側への漏れが防止できる。その結果、バックシートとして、たとえば疎水性不織布を使用でき、製品の感触として軟らかい感じを与える。
【００３１】
そして、透液性シート及び不透液性シートは吸収要素の側縁を超えて幅方向外方に延在し、起立カフスを構成する実質的に液を透過しない起立用シート及び前記バックシートが前記透液性シート及び不透液性シートの側縁を超えて幅方向外方に延在し、前記起立カフスの起立端は、前記不透液性シートの延在位置とすることにより、横漏れを確実に防止できる。
【００３２】
【発明の実施の形態】
以下本発明を、図面に示す実施の形態によってさらに詳説する。なお、本発明の使い捨て吸収性物品としては、紙おむつのほか、ナプキンなどにも適用が可能である。また、特に、パンツ型紙おむつにも適用が可能であることは明らかであるので、以下においてはテープ式紙おむつのみについて説明し、パンツ型紙おむつへの適用例を省略する。
【００３３】
＜第１の実施の形態：図１〜図３＞
図示の紙おむつでは、不織布などからなる透液性シート１とポリエチレン等からなる不透液性シート２との間に、綿状パルプ等からなる、たとえば長方形または好ましくは図示のように砂時計型のある程度剛性を有する吸収体３が介在されている。この吸収体３は吸収用の上下ティッシュペーパー３Ａ，３Ｂで被覆され、吸収要素を構成している。脚周り部分においては、図２に明示されているように、吸収用シートとしての上下ティッシュペーパー３Ａ，３Ｂはそれぞれ吸収体３の側縁を越えて延在している。この延在部においても、尿の吸収機能を有する。
【００３４】
不透液性シート２は吸収要素より幅広の長方形をなし、その外方に砂時計形状の不織布などからなるバックシート３０が設けられている。このバックシート３０と透液性シート１とは、製品紙おむつの長手方向端縁と一致している。
【００３５】
透液性シート１は吸収要素より幅広の長方形をなし、吸収要素の側縁より若干外方に延在し、不透液性シート２とホットメルト接着剤などにより固着されている（この固着部分を含めて本発明に関係する固着部分を符号＊で示す）。
【００３６】
紙おむつの両側部には、使用面側に突出する脚周り用起立カフスＢが形成され、この起立カフスＢは、実質的に幅方向に連続した起立用シート４と、弾性伸縮部材、たとえば糸ゴムからなる一本のまたは図示のように複数本の脚周り用弾性伸縮部材５とにより構成されている。６は製品の前後漏れ防止用弾性伸縮部材、７は止着テープである。
【００３７】
さらに、起立カフスＢは、起立用シート４を内面がわを短く段違いに内折りして２重に形成され、各脚周り用弾性伸縮部材５をホットメルト接着剤などにより固着した状態で包んでいる。
【００３８】
二重の起立用シート４の内面は、透液性シート１の端部に固着始端を有し、この固着始端から不透液性シート２の延在縁にかけて、幅方向外方部分がホットメルト接着剤などにより固着されている。二重の起立用シート４の外面は、その下面においてバックシート３０にホットメルト接着剤などにより固着されている。
【００３９】
その結果、二重の起立用シート４の内面の、透液性シート１への固着始端は、起立カフスＢの起立端を形成している。脚周りにおいては、この起立端より内側は、製品本体に固定されていない自由部分であり、製品の中央側に向かう起立部１０と、途中で折り返し反転して外側に向かう平面当り部２０とに機能的にかつ概念的に区分されている。
【００４０】
バックシート３０は、二重の起立用シート４の外面及び不透液性シート２とホットメルト接着剤などにより固着されている。
【００４１】
他方、図３に示すように、長手方向前後端部において、ホットメルト接着剤などにより、前記起立部相当部（起立部１０の延長部）は、物品の中央側に向かう状態で物品に，具体的には透液性シート１外面に固定され、前記平面当り部相当部（平面当り部２０の延長部）が折り返し反転した状態で起立部相当部上に固定されている。
【００４２】
また、弾性伸縮部材５は、少なくとも１本が平面当り部２０にあることを基本形態とするが、特に弾性伸縮部材５は平面当り部２０の先端部にあることが好ましく、さらに、起立部１０にも弾性伸縮部材５を有することが好ましい。
【００４３】
最適な形態は、起立端近傍、折り返し近傍、及び平面当り部２０の先端部にあることである。平面当り部２０の先端部には、図示のように複数本有するのがさらに望ましい。起立部１０には、起立力を高めるために、さらに弾性伸縮部材５，５を設けることができる。図示の形態では、合計６本である。
【００４４】
図２の上段及び図３は、紙おむつを長手方向に伸長した状態であるが、装着時には、紙おむつが舟形に体に装着されるので、そして各弾性伸縮部材５，５…の収縮力が作用するので、図２の下段に示すように、製品の前後端は図３の状態を保持したまま、脚周りでは、各弾性伸縮部材５，５…の収縮力により起立カフスＢが起立する。
【００４５】
このとき、上下ティッシュペーパー３Ａ，３Ｂの延在部を変形させ持ち上げ、また若干吸収体３も変形させつつ持ち上げ、深いポケット空間を形成する。
【００４６】
しかも、この持ち上げ状態で、各弾性伸縮部材５，５…の収縮力が起立カフスＢ自体に作用するから、起立部１０はほぼ垂直に起立するようになる。平面当り部２０も、垂直に起立するになるものの、平面当り部相当部（平面当り部２０の延長部）が折り返し反転した状態で起立部相当部上に固定されているから、垂直に起立にも限度があり、平面当り部２０は外向き状態を保持したまま、垂直方向の起立力（図２の矢印で示す力）を維持しながら起立する。
【００４７】
その結果、平面当り部２０は、常に、着用者の脚周りに平面的にフィットする。
【００４８】
起立部１０，１０で囲まれる空間は、尿または軟便の閉じ込め空間を形成する。この空間内に排尿されると、その尿は透液性シート１を通って吸収体３内に吸収されるとともに、軟便の固形分については、起立カフスＢの起立部１０，１０がバリヤーとなり、その乗り越えが防止される。万一、起立部１０の起立遠位側縁を乗り越えて横に漏れた尿は、平面当り部２０によるストップ機能により横漏れが防止される。
【００４９】
＜その他＞
なお、本発明において、各起立カフスを形成する起立用シートは、透液性でなく不透液性であるのが望ましい。また、透液性シートに対してシリコン処理などにより液体をはじく性質となるようにしてもよい。さらに、前記の実施例では、脚周り用起立用シート４の起立端は不透液性シート２とし、その外方はバックシート３０に固定したが、バックシート３０を省略し、不透液性シート２を製品の横縁まで延在させ、起立用シート４を不透液性シート２に固定してもよい。
【００５０】
他方、平面当り部２０及び起立部１０の弾性伸縮部材５の相関関係として、平面当り部２０の弾性伸縮部材５は細くかつ収縮率が大きく、起立部１０の弾性伸縮部材５は太くかつ収縮率が小さいものが好ましい。具体的には、弾性伸縮部材を糸ゴムとする場合、平面当り部２０の弾性伸縮部材５は４００〜６４０ｄ，収縮率が１６０〜３００％、起立部１０の弾性伸縮部材５は６４０〜２１００ｄ，収縮率が１５０〜２５０％とすることができる。
【００５１】
＜第２の実施の形態：図４＞
図４には第２の実施の形態が示されている。上記実施の形態との相違点は、弾性伸縮部材５による収縮力によりギャザーを寄せて平面的に肌に当てる、平面ギャザーカフスＧを有する点と、起立カフスＢ自体の変形例として示す、平面当り部２０の折り返し縁近傍に弾性伸縮部材５を有する点である。平面当り部２０の折り返し縁近傍に配置された弾性伸縮部材５は、平面当りを確実なものとする利点をもたらす。
【００５２】
【発明の効果】
以上の通り、本発明によれば、少々の装着ミスがあったとしても、幅広いポケット空間により、尿や軟便を確実に捕捉でき、着用者の動きに応じて、起立部と平面当り部との両者が追従し、確実に起立部の起立遠位端が股の付け根に線接触し、同時にそこから脚周りにかけて平面当り部が平面的に接触することにより、著しく横漏れ防止効果が高いものとなるなどの利点をもたらす。
【図面の簡単な説明】
【図１】
本発明に係る紙おむつの展開状態一部破断平面図である。
【図２】
展開状態及び装着状態の図１の２−２線矢視図である。
【図３】
図１の３−３線に沿う矢視図である。
【図４】
第２の実施の形態の図１の２−２線矢視相当図である。
【符号の説明】
１…透液性シート、２…不透液性シート、３…吸収体、４…起立用シート、５，６…弾性伸縮部材、１０…起立部、２０…平面当り部、Ｂ…脚周り用起立カフス、Ｇ …平面ギャザーカフス。
【手続補正２】
【補正対象書類名】図面
【補正対象項目名】図４
【補正方法】変更
【補正の内容】
【図４】
2001025485.tif 000001